(57)【要約】      （修正有）【課題】透明前板と、後板とを筒体で接続し、前記筒体内に、装飾物が収容できる容器において、前記透明前板の表面に、前記透明前板と筒体との当接部を被覆できる模様を設けたドライフラワーその他装飾物を収容するための装飾物容器を提供する。【解決手段】無色透明硝子よりなる前板１、後板との間に、無色透明硝子よりなる円筒３を介装固定し、装飾物容器５とする。前板１の表面に、前板１と、円筒３の当接部を覆う着色（例えば黄色）リング４と、その外側に着色リング６を設ける。また、前板１の外形と相似形の黄色の枠模様７を設け、枠模様７の隅部の切目１０にぶどう図８を配する。着色リング４、６、枠模様７及びぶどう図８は一体となって額縁模様を形成し、装飾容器の価値を一層向上させることができる。円筒３の内部に装飾物９を収容する。【選択図】図１
0003164873.tif 000002
【実用新案登録請求の範囲】
【請求項１】
透明前板と、後板とを筒体で接続し、前記筒体内に、装飾物が収容できる容器において、前記透明前板の表面に、前記透明前板と筒体との当接部を被覆できる模様を設けたことを特徴とする装飾物容器。
【請求項２】
前板及び筒体は無色透明としたことを特徴とする請求項１記載の装飾物容器。
【請求項３】
前板、筒体及び後板は、透明硝子製又は透明合成樹脂製としたことを特徴とする請求項１記載の装飾物容器。
【請求項４】
前板と後板は、方形又は多角形であり、筒体は断面円形、方形又は多角形としたことを特徴とする請求項１記載の装飾物容器。
【請求項５】
透明前板と、後板とを透明筒体で接続し、戦記透明前板の表面に、前記透明前板と透明筒体との当接部を被覆する着色模様を設けたことを特徴とする装飾物容器。
【考案の詳細な説明】
【技術分野】
【０００１】
この考案は、内部にドライフラワーその他の装飾物を収容することを目的とした装飾物容器に関する。
【背景技術】
【０００２】
従来、ドライフラワー、その他の装飾物を透明容器に収容して、置物又は壁掛け、その他の室内装飾物とすることが知られている。然して前記容器を密封することによって、内容装飾物の変化を未然に防止し、装飾物生命を長くすると共に、装飾価値の経時的低下を可及的に防止する容器として多用されている。
【先行技術文献】
【特許文献】
【０００３】
【特許文献１】意匠登録第１３６４５４４号公報
【特許文献２】意匠登録第１３６２２１２号公報
【考案の概要】
【考案が解決しようとする課題】
【０００４】
従来、透明前板と、後板とを透明筒体で接続したドライフラワー容器が知られており、装飾用置物等として多用されているが、透明前板と、透明筒体との当接部が透明前板の表面から明らかに見えることと、該当接部は筒体の端面であるから、装飾物の外観との違和感を全面的に払拭することが困難であって、装飾価値を低下させるおそれがあり、問題点となっていた。
【課題を解決するための手段】
【０００５】
この考案は、透明前板の表面に、透明筒体との当接部を覆う色彩模様を設けることにより、自然に当接部を見えなくすることができると共に、収容した装飾物の装飾効果を高めることにより、前記従来の問題点を解決したのである。
【０００６】
前記当接部が円形ならば、着色リングを含む模様を描き、恰も装飾物の額縁のような形状、色彩、模様として、単に当接部の被覆のみではなく、内容装飾物の装飾価値を向上させるようにしたものである。
【０００７】
即ち、この考案は、透明前板と、後板とを筒体で接続し、前記筒体内に、装飾物が収容できる容器において、前記透明前板の表面に、前記透明前板と筒体との当接部を被覆できる模様を設けたことを特徴とする装飾物容器であり、前板及び筒体は無色透明としたことを特徴とする請求項１記載の装飾物容器であり、前板、筒体及び後板は、透明硝子製又は透明合成樹脂製としたことを特徴とする請求項１記載の装飾物容器であり、前板と後板は、方形又は多角形であり、筒体は断面円形、方形又は多角形としたことを特徴とする請求項１記載の装飾物容器である。
【０００８】
また、透明前板と、後板とを透明筒体で接続し、戦記透明前板の表面に、前記透明前板と透明筒体との当接部を被覆する着色模様を設けたことを特徴とする装飾物容器である。
【０００９】
前記色彩としては、装飾物と違和感がなく、むしろ装飾物の額縁的又はその他の装飾的効果を期待できるような色彩模様とすれば、装飾効果を一層向上さえることができる。従って、筒体が円筒ならばリング模様が付加され、角形ならば角形模様が付加されるが、内容装飾物の透視面以外の面は模様などを自由に描くことができる面であるから、装飾物との違和感が生じない程度に各種形状模様を自由自在に設けることができる。
【００１０】
前記模様の主要部は、通常筒体の断面形状が基本であるけれども、透明前板と筒体との当接部を被覆することを目的とするので、模様は必ずしも断面形状と相似形でなくてもよい。例えば、装飾物透視部以外を全面着色模様とすることもできる。
【００１１】
前記前板は、無色透明を原則とするが、筒体及び後板は有色半透明、その他、必ずしも無色透明にする必要はない。また、付加する色彩模様には制限はないが、少なくとも装飾物の装飾効果を損なってはならない。
【００１２】
その他当接部の被覆以外の模様は、自由な発想に基づく模様とする。そこで、内容装飾物に応じて自由に色彩、形状模様を付加することにより、装飾価値の向上と多様化を図ることができる。
【００１３】
前記における方形とは、四角形（例えば正方形、矩形など）であり、多角形とは五角以上であって、正多角形のみではない。
【考案の効果】
【００１４】
この考案は、前板の表面に前板と、筒体との当接部を被覆する色彩模様を設けたもので、当接部の透視による違和感が皆無となり、装飾効果を一層向上させることができる。
【００１５】
また、色彩模様が内容装飾物の額縁模様効果を与えて、装飾価値を向上させることができる。
【００１６】
また、前板の表面の模様は、容器の組み立て前にできるので、模様の作成を容易に多量生産することができる。従って、模様付加による価格の高騰のおそれはない。
【００１７】
更に、内容装飾物と、容器との一体感を増進し、装飾効果を一層向上することができる効果がある。
【図面の簡単な説明】
【００１８】
【図１】この考案の実施例の一部を破切した正面図。
【図２】同じく裏面図。
【図３】同じく側面図。
【図４】（ａ）同じく図１中、Ａ−Ａ断面図、（ｂ）同じく（ａ）図中Ｂ部拡大断面図。
【図５】同じく他の実施例の正面図。
【図６】同じく前板を八角形にした実施例の正面図。
【考案を実施するための形態】
【００１９】
無色透明の硝子製の前板と後板を、無色透明硝子製の円筒で連結し、前記前板の表面に、前記前板と円筒との当接部を被覆する着色模様（例えば二重円）を描き、その外側に装飾図形を描くことにより、着色模様が内容装飾物の額縁になるような形状模様とする。
【実施例１】
【００２０】
この考案の実施例を図１、２、３、４に基づいて説明する。無色透明硝子よりなる前板１、後板２との間に、無色透明硝子よりなる円筒３を介装固定し、装飾物容器５とする。前板１の表面に、前板１と、円筒３の当接部を覆う着色（例えば黄色）リング４と、その外側に着色リング６を設ける。また、前板１の外形と相似形の黄色の枠模様７を設け、枠模様７の隅部の切目１０にぶどう図８を配したものである。
【００２１】
前記における着色リング４、６、枠模様７及びぶどう図８は一体となって額縁模様を形成し、装飾容器の価値を一層向上させることができる。図中９は内部に収容した装飾物である。
【実施例２】
【００２２】
この考案の他の実施例を図５に基づいて説明すると。無色透明の硝子板よりなる前板１の表面に、前板１と円筒との当接部を覆う着色リング４と、その外側に着色リング６を同心状に設け、着色リング６の右下方に切目１０を設けて、切目１０の間にぶどう図８を配したもので、図中９は装飾物である。
【００２３】
前記は筒体を円筒としたので着色リング４となったが、例えば角筒を用いれば、着色角形となる。
【実施例３】
【００２４】
この考案の他の実施例を図６に基づいて説明する。無色透明の硝子板よりなる八角形の前板１の表面に、前板１と円筒との当接部を覆う着色リング４の外側に、前板１と相似形の着色八角形図１１を設け、着色八角形図１１の右下の一辺の位置の切目１０にぶどう図８を介装したものである。前記実施例においては、着色リング４と、着色八角形図１１とが装飾物９の額縁を形成している。
【００２５】
前記は円筒を用いたので着色リング４となったが、角筒（例えば八角筒）を用いれば着色八角形となる。
【符号の説明】
【００２６】
１  前板
２  後板
３  円筒
４  着色リング
５  装飾物容器
６  着色リング
７  枠模様
８  ぶどう図
９  装飾物
【図１】
0003164873.tif 000003
【図２】
0003164873.tif 000004
【図３】
0003164873.tif 000005
【図４】
0003164873.tif 000006
【図５】
0003164873.tif 000007
【図６】
0003164873.tif 000008